(57)【要約】【課題】花粉症の根本的対策として、花粉症原因草木の花粉の飛散自体を抑制する方法を提供すること。【解決手段】花粉症原因草木の開花時期に、当該草木に粘結性液を噴霧することを特徴とする花粉の飛散防止方法。【選択図】なし【特許請求の範囲】
【請求項１】
花粉症原因草木の開花時期に、当該草木に粘結性液を噴霧することを特徴とする花粉の飛散防止方法。
【請求項２】
粘結性液が、樹脂の水溶液または水分散液である請求項１に記載の花粉の飛散防止方法。
【発明の詳細な説明】
【技術分野】
【０００１】
本発明は、花粉の飛散防止方法に関する。
【背景技術】
【０００２】
戦後の拡大林業政策により全国一斉に杉が植林され、加樹齢とともに、大量の花粉が発生し、１９７０年から１９８０年にかけて、花粉症の発病が急増し、その後も花粉症患者は増え続けている。また、近年はヒノキが多量に植林され、今後ヒノキの花粉症患者も増加すると予想されている。上記花粉症の対策としては、マスクやメガネの着用など、花粉を体内に入れないようにしたり、花粉症状を抑える抗アレルギー薬や、症状を抑える抗ヒスタミン剤の服用、ステロイド点鼻薬などが使用されているが、花粉症の根本的な対策とはなっていない。
【０００３】
また、花粉の少ない杉の品種改良、マレイン酸誘導体による花粉発生抑制剤、重炭酸ソーダで杉花粉の外殻構造を破壊し、花粉の飛散を抑制するなどが研究されているが、実用化には至っていない。
【発明の開示】
【発明が解決しようとする課題】
【０００４】
従って本発明の目的は、花粉症の根本的対策として、花粉症原因草木の花粉の飛散自体を抑制する方法を提供することである。
【課題を解決するための手段】
【０００５】
上記目的は以下の本発明によって達成される。すなわち、本発明は、花粉症原因草木の開花時期に、当該草木に粘結性液を噴霧することを特徴とする花粉の飛散防止方法を提供する。
【発明の効果】
【０００６】
本発明によれば、花粉の飛散を抑制し、花粉症の発症を抑制することができる。
【発明を実施するための最良の形態】
【０００７】
次に好ましい実施の形態を挙げて本発明をさらに詳しく説明する。杉、ヒノキ、ブタクサなどの花粉症の原因になる花粉は、長径５０μｍ以下の微粒子であり、花粉重量も軽量で、空中落下速度も遅いため、花粉症の抗原である花粉を広域に飛散させている。
【０００８】
本発明は、花粉症の原因物質である花粉微粒子を、該花粉微粒子が空中に飛散する前、すなわち、花粉が草木の花蕾に付着している状態で、これらの花蕾に花粉粘結剤を付与し、花粉微粒子を集合させて自重を増やし、花粉微粒子の落下速度を速めて空中への飛散を抑制するものであり、花粉症の根本的な対策となる画期的な発明である。花粉微粒子を集合定着させるためには、無機性或は有機性の粘結剤を使用する。
【０００９】
本発明で使用する粘結剤としては、花粉微粒子同士の粘結に有効な樹脂または無機粘結性材料などが挙げられる。地球環境を考慮すると、樹脂としては、例えば、ポリ乳酸、酢酸セルロース、ポリヒドロキシ酪酸など、生分解性樹脂が好ましい。無機性の粘結剤としては、例えば、硅酸ソーダ、コロイダルシリカなどの無機性の粘結剤が挙げられる。その他の粘結剤としては、澱粉、糖蜜、ソルビトール、グルコースなどの糖類、グリセリン、エチレングリコールなどの多価アルコールおよびそのエステル類が挙げられる。いずれも毒性、環境ホルモンなど、自然環境への負荷を十分に考慮した粘結剤を使用する。
【００１０】
具体的には、硅酸ソーダとして３号硅酸ソーダ（日本化学（株）製）、ポリ乳酸（ランディＳＬ−１２００、ミヨシ油脂（株）製）、多価アルコール（アルコックスＥ−３０、明成化学工業（株）製）、澱粉（東海澱粉（株）製）、ポリビニルアルコール（クラレポバール、（株）クラレ製）などが挙げられる。
【００１１】
上記の如く粘結剤は、水溶液または水分散液として用いる。製造・輸送性などを考慮して原液として濃度１０〜５０質量％の濃厚液を調製することが好ましく、使用時には噴霧が容易であるように０．０１〜１０質量％程度に水で希釈して使用する。上記原液には粘結液が雄花の花蕾内に滲透し易いように界面活性剤などの滲透剤を加えることができる。
【００１２】
上記界面活性剤としては、例えば、毒性、生態系に対する影響などを考慮すると、ポリオキシエチレンアルキルエーテル、ポリオキシエチレンアルキルエステル、多価アルコールエステルなどの非イオン系界面活性剤、アルキルスルホネート、アルキルサルフェートなどのアニオン界面活性剤が挙げられる。これらの界面活性剤は、上記原液中に５〜３０質量％程度加えることが好ましい。
【００１３】
さらに上記原液には、重炭酸ソーダ、硅酸ソーダなど、有害性の少ないアルカリ剤を加えて、花粉の外殻構造を破壊することにより、粘結効果を促進することができる。このようなアルカリ剤は上記原液中に１〜１０質量％程度加えることが好ましい。
【００１４】
上記の原液を水で希釈して粘結剤濃度を０．０１〜１０質量％程度にした散布液を、花粉症原因草木の開花時期の山林、河川敷、草原などの上空から、晴れた日に飛行機やヘリコプターにより散布し、花粉症原因草木の花蕾に付着させることにより、花蕾の花粉微粒子に粘結剤を付与し、水分の蒸発によって花粉が集合結着され、花粉微粒子は集合体となって、重量が重くなり、飛散性が著しく低下することになる。
【実施例】
【００１５】
次に粘結性液（散布液）の実施例を挙げる。
実施例１
・カルボキシメチルセルロース（ダイセル化学（株）製）    １．０質量％
・ポリオキシエチレン（ｎ＝１０）オレイルエーテル        ０．３質量％
・水                                                  ９８．７質量％
【００１６】
実施例２
・ポリビニルアルコール（クラレポバールＰＶＡ−２０５）  ５．０質量％
・アニオン界面活性剤（HostapurSAS-93、クラリアントジャパン（株）製）
０．５質量％
・水                                                  ９４．５質量％
【００１７】
実施例３
・ポリ乳酸（ランディＰＬ１２０）                          ３０質量％
・アニオン界面活性剤（HostapurSAS-93、クラリアントジャパン（株）製）
０．５質量％
・水                                                  ６９．５質量％
【００１８】
実施例４
・多価アルコール（アルコックスＥ−３０）                ２．０質量％
・ポリオキシエチレンソルビタンモノオレエート            ０．５質量％
・水                                                  ９７．５質量％
【００１９】
実施例５
・澱粉（東海澱粉（株）製）                            １０．０質量％
・ポリオキシエチレン（ｎ＝１０）ラウリルエーテル        ０．３質量％
・重炭酸ソーダ                                          ３．０質量％
・水                                                  ８６．７質量％
【産業上の利用可能性】
【００２０】
本発明によれば、花粉の飛散を抑制し、花粉症の発症を抑制することができる。